(57)【要約】【課題】本発明はデジタルビデオカメラにおいてユーザーに必要な情報を伝え、状況によって省電力化を自動的に行い、使いやすいデジタルビデオカメラを誰にでも提供することを目的とする。【解決手段】バッテリー動作時において表示器にダビング終了までにバッテリーが切れるかどうかを表示することによってバッテリー切れによるダビング中断を未然に防ぐことが可能となり、バッテリー動作時においてテープ残量とバッテリー残量から判断して自動的に消費電力を抑えることによってダビング中にバッテリーが途中で切れてしまう事を防ぐことが可能となり、ユーザーに有益なデジタルビデオカメラを構築することが可能となる。【選択図】        図１
2006059458.tif 000002
【特許請求の範囲】
【請求項１】
バッテリーからの電源供給を受けて映像信号をテープ状記録媒体から再生する装置であって、
前記テープ状記録媒体から再生された映像信号を外部機器に送信して他の記録媒体に記録するダビングモードにおいて、前記テープ状記録媒体の残り再生時間と前記バッテリーによる駆動可能時間とを比較し、前記残り再生時間の方が前記駆動可能時間よりも長い場合、所定の警告情報を表示することを特徴とする再生装置。
【請求項２】
前記残り再生時間の方が前記駆動可能時間よりも長い場合には前記ダビング処理を禁止することを特徴とする請求項１記載の再生装置。
【請求項３】
前記再生された映像信号に係る映像を表示する表示装置を備え、前記残り再生時間の方が前記駆動可能時間よりも長い場合には、前記表示装置の表示を消去することを特徴とする請求項１記載の再生装置。
【請求項４】
それぞれ前記再生された映像信号に係る映像を表示する第１の表示装置と前記第１の表示装置よりも小型の第２の表示装置を備え、前記残り再生時間の方が前記駆動可能時間よりも長い場合には、前記第１の表示装置の表示を消去して第２の表示装置に表示することを特徴とする請求項１記載の再生装置。
【請求項５】
バッテリーからの電源供給を受けて映像信号をテープ状記録媒体に記録する装置であって、
外部機器から送信された映像信号を前記テープ状記録媒体に記録するダビングモードにおいて、前記テープ状記録媒体の残り記録可能時間と前記バッテリーによる駆動可能時間とを比較し、前記残り記録可能時間の方が前記駆動可能時間よりも長い場合、所定の警告情報を表示することを特徴とする再生装置。
【発明の詳細な説明】
【技術分野】
【０００１】
本発明は再生装置に関し、特にはダビング時の処理に関する。
【背景技術】
【０００２】
従来、二台のデジタルビデオカメラを接続し、ダビングを行うシステムが知られている（例えば、特許文献１参照）。
【特許文献１】特開平０５−１６６２５２号公報
【発明の開示】
【発明が解決しようとする課題】
【０００３】
ビデオカメラは通常、バッテリーにより駆動するが、上記従来の背景技術ではバッテリー動作でダビング中を行っている時にバッテリー切れによってダビングが中断されてしまうという課題があった。
【０００４】
本発明は、バッテリー駆動によりダビングを行う場合にも、事前にユーザーに対してバッテリー切れの警告を行い、使いやすい装置を提供することを目的とする。
【課題を解決するための手段】
【０００５】
本発明によれば、バッテリーからの電源供給を受けて映像信号をテープ状記録媒体から再生する装置であって、前記テープ状記録媒体から再生された映像信号を外部機器に送信して他の記録媒体に記録するダビングモードにおいて、前記テープ状記録媒体の残り再生時間と前記バッテリーによる駆動可能時間とを比較し、前記残り再生時間の方が前記駆動可能時間よりも長い場合、所定の警告情報を表示する。
【発明の効果】
【０００６】
本発明によれば、ダビング時において、テープ残量がバッテリー残量よりも長い場合、ユーザーはその旨を認識することが可能となる。
【発明を実施するための最良の形態】
【０００７】
以下本発明を実施するための最良の形態を、実施例により詳しく説明する。
【実施例】
【０００８】
図１は本発明を適用した記録システムの構成を示す図である。本形態のシステムはＶＴＲ１００と外部映像機器６から構成される。
【０００９】
図１において、１はレコーダー部であり、デジタルシグナルプロセッサー２と映像データのやりとりを行い、またマイコン４と通信を行い、マイコン４がテープ残量等の情報をレコーダー部１から読み出す。２はデジタルシグナルプロセッサーであり、マイコン４と通信を行い、マイコン４からのコマンドによりレコーダー部１からの映像データを６の外部映像機器に対して高速シリアル通信やアナログ映像信号の送受信を行ったり、マイコン４からのコマンドによりフラッシュメモリ９に入っている文字データを読み込み文字発生器によりＬＣＤパネル３に対して出力する。３はＬＣＤパネル画面であり、マイコン４と通信を行い画面にユーザーに対しての情報を表示したり消費電力を抑える時にはバックライト電源の停止や表示の停止を行う。
【００１０】
４はマイコンであり、レコーダー１と通信を行いテープ残量を取得したり、ＤＳＰ２に対して通信を行い映像データをやりとりをさせたり、表示部３に対して通信を行いユーザーへの情報を表示させたりバックライトの電源のコントロールをおこなったり、バッテリー５に対してバッテリー残量の確認をおこなったりする。５はバッテリーであり、マイコン４からバッテリー残量の確認を行う。６は外部映像機器でありＤＳＰ２と高速シリアル通信もしくはアナログ映像信号にて映像データのやりとりを行う。８はＣＣＤカメラであり撮影時は撮影した映像データをＤＳＰ２へと送り出す。９はフラッシュメモリであり、ユーザーに情報を表示する場合にはＤＳＰ２によって文字データが読み出され３に表示される。
【００１１】
ダビング動作の際、ＶＴＲ１００が再生を行う場合はレコーダー１にて再生された映像データをＤＳＰ２から高速シリアル通信もしくはアナログ映像信号にて外部機器６へと送り出す。同様に、ＶＴＲ１００が記録を行う場合は、外部機器６から映像信号を入力し、ＤＳＰ２によってレコーダー１へ出力してテープに記録する。
【００１２】
図２は図１のシステムにおいて、外部機器６から供給された映像信号をＶＴＲ１００にて記録するか、或いは、レコーダー１にて再生した映像信号を外部機器６に送信して記録するダビング処理におけるＶＴＲ１００の動作を示すフローチャートである。
【００１３】
まず、ユーザーがダビング動作を開始したかどうかを判定する（Ｓ１１）。マイコン４は残りテープ時間と残りバッテリー残量を取得し、残りバッテリー時間を算出する（Ｓ１２）。次に、マイコン４にて残りテープ時間と残りバッテリー時間の比較を行う（Ｓ１３）。残りテープ時間が残りバッテリー時間よりも多い場合には、図３のようにユーザーに対して情報を表示する（Ｓ１４）。そして、ユーザーからの操作を待つ（Ｓ１５）。また、テープ残量よりもバッテリー駆動時間の方が長い場合にはそのままダビングを行う（Ｓ１６）。
【００１４】
以上の様な動作を行うことで、バッテリー動作時においてダビング中にバッテリー切れによってダビングが中断されるのを未然に防ぐことが可能となる。
【００１５】
図４は他の実施形態としてのシステムの構成を示す図である。
【００１６】
図４において図１と同様の構成は同一番号を付して詳細な説明は省略する。
【００１７】
図５は本実施形態におけるダビング時のＶＴＲの動作を示すフローチャートである。
【００１８】
ダビング開始後、マイコン４がバッテリー残量を取得し、残りバッテリー時間を算出する（Ｓ２１）。そして、マイコン４にて残りテープ時間と残りバッテリー時間の比較を行う（Ｓ２２）。残りテープ時間が残りバッテリー時間よりも多い場合には、図６のようにユーザーに対し警告情報を表示後、ＬＣＤのバックライトを消去し、小型ファインダーに画面表示を切り替える（Ｓ２３）。
【００１９】
以上の様な動作を行うことで、バッテリー動作時においてテープ残量とバッテリー残量から判断して自動的に消費電力を抑えることによりダビング時にバッテリーが途中で切れてしまう事を防ぐことが可能となる。
【図面の簡単な説明】
【００２０】
【図１】本発明が適用されるシステムの構成を示す図である。
【図２】本発明の実施形態におけるダビング処理を示すフローチャートである。
【図３】バッテリー不足時の警告画面の様子を示す図である。
【図４】本発明の実施形態におけるシステムの構成を示す図である。
【図５】本発明の実施形態におけるダビング処理を示すフローチャートである。
【図６】バッテリー不足時の警告画面の様子を示す図である。
【符号の説明】
【００２１】
１  レコーダー部
２  デジタルシグナルプロセッサーで
３  ＬＣＤパネル画面
４  マイコン
５  バッテリー
６  外部映像機器
８  ＣＣＤカメラ
９  フラッシュメモリ
【図１】
2006059458.tif 000003
【図２】
2006059458.tif 000004
【図３】
2006059458.tif 000005
【図４】
2006059458.tif 000006
【図５】
2006059458.tif 000007
【図６】
2006059458.tif 000008